(57)【要約】【課題】打抜カスの製品側への戻りを確実に防止でき、ピアスパンチの高寿命化を図り、経済性に優れたピアスパンチを得る。【解決手段】ピアスパンチ本体の先端部における抜き孔の終端近くに、ピアスパンチ本体の軸芯方向に対して直交しかつ長さ方向中間部において抜き孔に開口する開口部と回り止め用の内壁面とを有する支持穴を形成する。支持穴上部に上方開口のねじ孔を連通形成する。支持穴内に回転不能で挿抜可能に嵌入支持されると共に開口部を介して抜き孔の内径より若干内方に突出する断面山形状の挟持部と挟持部の基部両側に形成され打抜カスとの干渉をなくす逃し溝とを有し、長さ方向に対する中間線を対称軸として上下対称形状となる中実の挟持軸を設ける。挟持軸の上面を押えて支持穴内からの抜け止めと位置固定するロックねじをねじ孔に螺装した。【選択図】図４
2020082188.tif 000002
【特許請求の範囲】
【請求項１】
ピアシング工具とこれの先端部に対向し前進時にピアシング工具の頭部が嵌入されるべくした中空円筒形のピアスパンチとからなり、ピアシング工具とピアスパンチとの嵌入によりピアスパンチの前端に受け止められた状態の被加工物を打ち抜きこれに貫通穴を開設する穴抜き装置のピアスパンチであって、軸芯先端部に抜き孔が形成され、軸芯後端部に抜き孔に連通しかつ抜き孔の内径よりも大径の大径中空孔が形成されたピアスパンチ本体を備え、このピアスパンチ本体の先端部における抜き孔の終端近くに、ピアスパンチ本体の軸芯方向に対して直交しかつ長さ方向中間部において抜き孔に開口する開口部と回り止め用の内壁面とを有する支持穴が形成され、かつ、支持穴上部に支持穴よりも大径で上方に開口するねじ孔が連通して形成されている一方、支持穴内に回転不能で挿抜可能に嵌入支持されると共に開口部を介して抜き孔の内径より若干内方に突出する断面山形状の挟持部と挟持部の基部両側に形成され打抜カスとの干渉をなくす逃し溝とを有し、かつ長さ方向に対する中間線を対称軸として上下対称形状となる中実の挟持軸が設けられ、さらに、この挟持軸が支持穴内に嵌入支持された状態で、挟持軸の上面を押えて支持穴内からの抜け止めと位置固定をするロックねじがねじ孔に螺装されていることを特徴とする穴抜き装置のピアスパンチ。
【請求項２】
ピアスパンチ本体における支持穴の一側内壁面に回り止め用の扁平内壁面が形成され、この扁平内壁面により支持穴の平面視形状が一端扁平の円形状を呈する一方、挟持軸の一側外壁面に上記扁平内壁面に符合する回り止め用の扁平外壁面が形成され、この扁平外壁面により挟持軸の平面視形状が支持穴の平面視形状に符合する一端扁平の円形状を呈し、かつ、挟持軸の扁平外壁面とは反対側の円弧状外壁面の長さ方向中間部に、抜き孔の開口部を介し抜き孔の内径より若干内方に突出する挟持部と挟持部の基部両側にのみ形成され打抜カスとの干渉をなくす逃し溝とが形成されていることを特徴とする請求項１記載の穴抜き装置のピアスパンチ。
【請求項３】
ピアスパンチ本体の支持穴の平面視形状が回り止め用の多角内壁面からなる多角形状を呈する一方、挟持軸の平面視形状が上記支持穴の平面視形状に符合する回り止め用の多角外壁面からなる多角形状呈し、かつこの挟持軸の長さ方向中間部に、抜き孔の開口部を介し抜き孔の内径より若干内方に突出する平面視多角形状の挟持部とこの挟持部の基部両側に形成され打抜カスとの干渉をなくす断面視多角形状の逃し溝とが形成されていることを特徴とする請求項１記載の穴抜き装置のピアスパンチ。
【発明の詳細な説明】
【技術分野】
【０００１】  本発明は、塑性加工全般の穴抜き加工時における、抜きカスの受け側に使用される穴抜き装置のピアスパンチに関する。
【背景技術】
【０００２】  従来、例えば多段式ホーマーを利用して角型ナットを圧造成形する工程においては、その最終工程である穴明け工程時にピアシング工具の頭部がピアスパンチの先端口内に嵌入することにより成形ナットの中心部に貫通穴を穴抜きする穴抜き加工が行われている。【０００３】  ところで、その穴抜き加工後ピアシング工具とピアスパンチとが離間するときに、ピアスパンチの先端口内に押し込まれた打抜カスがピアスパンチの先端口内より飛び出すことがある。その原因は、材料を複数工程にわたり連続的に押圧し圧造変形させる間に大きな摩擦熱が付与されて打抜カスがピアシング工具側に付着したり、或いは油や圧力による吸着及びピアシング工具摩耗、変形部への喰い付きなどによるためと思われる。【０００４】  一方、打ち抜かれた製品ナットは打抜カスと区別されて自動的に落下して一箇所に集められるのであるが、上述の理由により打抜カスがピアスパンチの先端口内より飛び出すと、つまり製品側へ戻されて下方に落下すると一箇所に集められている製品ナットの中に混入する。このため、成形後に製品ナットの中に誤って入った打抜カスの選別を行わなければならず、その作業が非常に面倒で作業能率が悪い問題があった。
又、ピアスパンチにも入らず、ピアシング工具側に喰い付いた場合は、次に穴抜きされる製品と喰い付いた打抜カスが一緒に成形されてピアスパンチ、ピアシング工具が破損する問題も発生していた。【０００５】  そこで、この問題に対する解決策として、例えば高硬度鋼からなるピアスパンチを用いその先端口における少し奥内に先端口の内径より若干小さくした環状の挟持部を形成し、ピアスパンチ内に打抜カスが押し込まれたとき、打抜カスが環状挟持部に強制圧入されてその強圧状態で保持され、次の打抜カスによる押し込みにより挟持部のさらに奥側に形成された大径段落部に落ち込むようになされたものが知られている。
【特許文献】
【０００６】
【特許文献１】実公昭５４−１６９０４号公報
【発明の概要】
【発明が解決しようとする課題】
【０００７】  しかし、上記した従来のピアスパンチではその先端口内に固定状態に設けられた環状挟持部が摩耗して、環状挟持部による打抜カスの正確な保持作用が困難になると、その都度高価なピアスパンチ全体を新らたなピアスパンチに取り替える必要があった。【０００８】  そこで本発明は、上記した問題を解決するため、ピアスパンチ本体の先端部に打抜カス挟持用の挟持軸を交換可能に装着できるようにして、その挟持軸により打抜カスの製品側への戻りを確実に防止できながら、該挟持軸の摩耗時には、ピアスパンチ本体に対し挟持軸のみを位置変更或いは新らたな挟持軸に交換することによりピアスパンチ本体をそのまま長期間にわたって使用できるようにし、全体として経済性に優れた穴抜き装置用ピアスパンチの提供を課題とする。
【課題を解決するための手段】
【０００９】  本願の請求項１記載の発明は、ピアシング工具とこれの先端部に対向し前進時にピアシング工具の頭部が嵌入されるべくした中空円筒形のピアスパンチとからなり、ピアシング工具とピアスパンチとの嵌入によりピアスパンチの前端に受け止められた状態の被加工物を打ち抜きこれに貫通穴を開設する穴抜き装置のピアスパンチであって、軸芯先端部に抜き孔が形成され、軸芯後端部に抜き孔に連通しかつ抜き孔の内径よりも大径の大径中空孔が形成されたピアスパンチ本体を備え、このピアスパンチ本体の先端部における抜き孔の終端近くに、ピアスパンチ本体の軸芯方向に対して直交しかつ長さ方向中間部において抜き孔に開口する開口部と回り止め用の内壁面とを有する支持穴が形成され、かつ、支持穴上部に支持穴よりも大径で上方に開口するねじ孔が連通して形成されている一方、支持穴内に回転不能で挿抜可能に嵌入支持されると共に開口部を介して抜き孔の内径より若干内方に突出する断面山形状の挟持部と挟持部の基部両側に形成され打抜カスとの干渉をなくす逃し溝とを有し、かつ長さ方向に対する中間線を対称軸として上下対称形状となる中実の挟持軸が設けられ、さらに、この挟持軸が支持穴内に嵌入支持された状態で、挟持軸の上面を押えて支持穴内からの抜け止めと位置固定をするロックねじがねじ孔に螺装されていることを特徴とする。【００１０】  本願の請求項２記載の発明は、上記したピアスパンチ本体における支持穴の一側内壁面に回り止め用の扁平内壁面が形成され、この扁平内壁面により支持穴の平面視形状が一端扁平の円形状を呈する一方、挟持軸の一側外壁面に上記扁平内壁面に符合する回り止め用の扁平外壁面が形成され、この扁平外壁面により挟持軸の平面視形状が支持穴の平面視形状に符合する一端扁平の円形状を呈し、かつ、挟持軸の扁平外壁面とは反対側の円弧状外壁面の長さ方向中間部に、抜き孔の開口部を介し抜き孔の内径より若干内方に突出する挟持部と挟持部の基部両側にのみ形成され打抜カスとの干渉をなくす逃し溝とが形成されていることを特徴とする。【００１１】  本願の請求項３記載の発明は、上記したピアスパンチ本体の支持穴の平面視形状が回り止め用の多角内壁面からなる多角形状を呈する一方、挟持軸の平面視形状が上記支持穴の平面視形状に符合する回り止め用の多角外壁面からなる多角形状呈し、かつこの挟持軸の長さ方向中間部に、抜き孔の開口部を介し抜き孔の内径より若干内方に突出する平面視多角形状の挟持部とこの挟持部の基部両側に形成され打抜カスとの干渉をなくす断面視多角形状の逃し溝とが形成されていることを特徴とする。
【発明の効果】
【００１２】  本願の請求項１記載の穴抜き装置のピアスパンチによれば、上記した構成により、ピアスパンチ内に打抜カスが押し込まれたとき、打抜カスを挟持軸の挟持部で強圧保持し、打抜カスの製品側への戻りを確実に防止でき、次の打抜カスによる押し込みにより後続の打抜カスが先行する打抜カスを抜き孔から大径中空孔に押し出すことができる。しかも、ピアスパンチ本体の先端部に打抜カス挟持用の挟持軸がロックねじの取り外しにより交換可能できるように構成され、かつ、挟持軸がその長さ方向の中間線を対称軸として上下対称形状となっているから、例えば挟持軸における挟持部の一端部分が局所的に偏摩耗して充分な強圧保持力が得られなくなった時には、支持穴から挟持軸を取り出して、これの上下を位置変更して支持穴に挿嵌し直し、挟持部の摩耗の生じていない反対側他端部分を当接位置側に変更して再使用したり、或いは別の新らたな挟持軸に交換すればよいのであり、これにより従来のようにピアスパンチ全体を交換するといったことなく、ピアスパンチ本体はそのまま長期間にわたって使用し続けることができる。その結果、全体としてピアスパンチの高寿命化を図り、経済性に優れたピアスパンチを得ることができる。【００１３】  また、本願の請求項２記載の穴抜き装置のピアスパンチによれば、上記した構成により、上述した請求項１と同様の効果が得られながら、一端扁平の円形状を呈する支持穴の一側内壁面に形成した回り止め用の扁平内壁面に、一端扁平の円形状を呈する挟持軸の扁平外壁面とが嵌入係合する構成としたことにより、回り止めが確実強固に行われ、長期間使用してもガタ付いたりするのを防止できる。しかも、挟持軸の扁平外壁面とは反対側の円弧状外壁面の長さ方向中間部に挟持部と挟持部の基部両側部分に限って打抜カスとの干渉をなくす逃し溝を設けるので、中実円形状の挟持軸の断面積が大きく減少することなく充分に確保することができる。従って、使用時に作用する荷重により挟持軸自体が亀裂や破断するなどといった現象を防止することができる。【００１４】  また、本願の請求項３記載の穴抜き装置のピアスパンチによれば、上記した構成により、上述した請求項１と同様の効果が得られながら、例えば平面視形状が四角形状を呈する支持穴の四角内壁面と、平面視形状が四角形状を呈する挟持軸の四角外壁面とが嵌入係合する構成としたことにより、挟持軸の回り止めがより確実強固に行われ、長期間使用してもガタ付いたりすることがないし、また、平面視四角形状の中実挟持軸を用いることによりその断面積を充分確保することも可能になり、使用時において挟持軸自体の亀裂や破断などの発生を確実に防止できる。しかも、挟持軸の長さ方向中間部に、平面視四角形状の挟持部が設けられているから、挟持部の一端部分が局所的に偏摩耗して充分な強圧保持力が得られなくなった時には、挟持軸の上下取付位置変更のみならず、平面視形状が四角形状の挟持軸を支持穴に対し９０度ごとに回転させてその取付位置を変更することができる。これにより、摩耗の生じていない挟持部を新たな当接挟持部として複数回変更使用することが可能になり、ピアスパンチをより一層長期間にわたって使用し続けることができる。
【図面の簡単な説明】
【００１５】
【図１】本発明の穴抜き装置のピアスパンチの一部切欠正面図である。
【図２】図１のア−ア線断面図である。
【図３】同ピアスパンチによる穴抜き動作を示す要部の縦断面図である。
【図４】図３のイ−イ線断面図である。
【図５】同ピアスパンチ本体の正面図である。
【図６】図５のウ−ウ線断面図である。
【図７】挟持軸の拡大正面図である。
【図８】挟持軸の拡大側面図である。
【図９】挟持軸の拡大平面図である。
【図１０】図７のエ−エ線断面図である。
【図１１】図７のオ−オ線断面図である。
【図１２】別の挟持軸の拡大正面図である。
【図１３】図１２のカ−カ線断面図である。
【図１４】同挟持軸を備えた別のピアスパンチ本体の縦断面図である。
【発明を実施するための形態】
【００１６】  以下本発明の実施の形態を図に基づいて説明する。
【００１７】  図１及び図２は、本発明に係る穴抜き装置のピアスパンチの一部切欠正面図及び要部の拡大縦断面図を示す。図３は同ピアスパンチを用いた穴抜き装置Ａの一部を省略した概略説明図を示す。この穴抜き装置Ａは、基本的にはピアシング工具１と、これの先端部に対向し前進時にピアシング工具１の頭部１１が嵌入されるべくした中空円筒形の穴明け用ピアスパンチ２とからなり、ピアシング工具１のピアスパンチ２への嵌入によりピアスパンチ２の前端に受け止められた状態の被加工物（製品ナット）Ｎを打ち抜きこれに貫通穴Ｎ１を開設するように構成されている。
その場合、例えばピアシング工具１を移動台側に固設し、ピアスパンチ２を固定台側に突設してもよいし、ピアシング工具１を固定台（図示せず）側に固設し、ピアスパンチ２を移動台（図示せず）側に突設してもよい。
【００１８】  そして、本発明は、以上にように構成される穴抜き装置Ａにおいて、ピアスパンチ２を次のように形成したのである。
【００１９】  ピアスパンチ２は、図１に示すように高速度工具鋼（ＳＫＨ５１）からなる中空円筒形のピアスパンチ本体２０と、複数個（図では２本）の挟持軸３，３と、ロックねじ４，４とからなる。
【００２０】  ピアスパンチ本体２０は、図５，６に示すようにこれの軸芯先端部に抜き孔２１が形成され、また軸芯後端部に段部（図では傾斜段部となっている）２２を介して抜き孔２１の内径よりも大径の中空孔２３が連通するよう形成されている。そして、ピアスパンチ本体２０における抜き孔２１の終端近くには、図６に示すようにピアスパンチ本体２０の軸芯方向に対して直交しかつ抜き孔２１を挟んで相対向する箇所に一対の支持穴２４，２４が抜き孔２１の周方向に１８０度を置いて平行状に形成されている。これら支持穴２４，２４内には上記挟持軸３，３が回転不能で挿抜可能に嵌入支持される一方、その嵌入支持状態において、支持穴２４，２４の長さ方向中間部位置に後述する挟持軸３，３の挟持部３１の先端が抜き孔２１の内周面よりも内方へ突出するのを許す開口部２５，２５が形成されている。ここで、各支持穴２４，２４の開口部２５，２５とは反対側の内壁面には、上記挟持軸３の回り止めを行うための扁平内壁面２６，２６が形成されており、これにより、各支持穴２４，２４の平面視形状は、一端扁平の円形状を呈している。
また、支持穴２４，２４の上部には、支持穴２４，２４よりも大径で上方に開口するねじ孔２５，２５が連通して形成され、さらに、支持穴２５の底部には挟持軸３を支持穴２４及びねじ溝から取出す際に使用する適宜押し出しピン（図示せず）の差し込みが可能な取出孔２８，２８が連通して形成されている。
【００２１】  挟持軸３は、図７〜１１に示すように支持穴２４に回転不能で挿抜可能に嵌入支持される超硬合金製で中実の柱状軸体からなる。具体的には、支持穴２４の平面視形状に符合して回転不能で抜き挿し可能となるよう回り止め用の扁平外壁面３１が形成され、その平面視形状が図９に示すように一端扁平の円形状を呈している。そして、この扁平外壁面３１とは反対側の円弧状外壁面の長さ方向中間部に、上記支持穴２４への嵌入支持状態において抜き孔２１の開口部２５を介し抜き孔２１の内径より若干内方に突出する断面山形状の挟持部３２と、挟持部３２の基部における上下両側に形成され打抜カスＮ２との干渉をなくす逃し溝３３，３３とが形成され、かつ挟持軸３の長さ方向に対する中間線を対称軸として挟持部３２と逃し溝３３，３３とが上下に対称形状に形成されている。
なお、扁平外壁面３１、挟持部３２及び逃し溝３３，３３の形成に当たっては、例えば超硬合金製からなる中実の円柱軸体の長さ方向中間部における外周を研削或いはその他の適宜加工手段により形成される。
【００２２】  また、挟持軸３が支持穴２４内に嵌入支持されたとき、挟持軸３の上面を押えて支持穴２５内からの抜け止めと位置固定をするためのロックねじ４がねじ孔２７に螺着されている。ロックねじ４のねじ部外周には緩み止め用の適宜樹脂剤を塗っておくのが好ましい。
そして、挟持軸３の上下位置の変更や交換時には、ロックねじ４をねじ孔２７から取り外し、支持穴２５内の底側に形成された取出孔２８内に適宜押し出しピン（図示せず）を差し込んで挟持軸３を支持穴２４及びねじ溝から取出せばよい。
【００２３】  次に、以上のように構成した本発明に係る穴抜き装置のピアスパンチの作用について説明する。
【００２４】  図３に示すように、まず、被加工物Ｎはチャック（図示省略）により掴まれてピアスパンチ２の先端面に受け止められる。この状態でピアシング工具１が前進してその頭部１１がピアスパンチ本体２０の抜き孔２１に嵌入することにより打ち抜かれて被加工物Ｎに貫通穴Ｎ１が開設される。その後、ピアシング工具１が後退してピアスパンチ本体２０から離れると貫通穴Ｎ１が開設された被加工物Ｎは下方へ落下し所定の収容場所へ集められる。
【００２５】  この穴抜き加工時、ピアスパンチ本体２０の抜き孔２１内に打抜カスＮ２が押し込まれたとき、図３及び図４に示すように打抜カスＮ２は抜き孔２１の奥側近くに設けられた挟持軸３，３の挟持部３２，３２間で強圧保持される。これにより、打抜カスＮ２は、ピアシング工具１に付着して抜き孔２１内から飛び出したり、或いは被加工物Ｎ側へ戻ることがないように挟持軸３，３の挟持部３２，３２で挟持される。
【００２６】  そして、次回の打ち抜き加工が行われたときに発生する後続の打抜カスＮ２が、先に挟持部３２，３２で挟持されていた先行する打抜カスＮ２を挟持部３２，３２から大径中空孔２３内に強制的に押し出して順次入れ替わることになる。これにより先行する打抜カスＮ２はピアスパンチ本体２０の大径中空孔２３の奥側に押し込まれて、ピアスパンチ本体２０の後方側に設けられる排出通路（図示せず）より順次取り出される。
【００２７】  一方、上記した実施例では、ピアスパンチ本体２の先端部に打抜カス挟持用の挟持軸３がロックねじ４の取り外しにより交換可能できるように構成されており、また、挟持軸３がその長さ方向の中間線を対称軸として上下対称形状となっているから、例えば挟持軸３における挟持部３２の一端部分が局所的に偏摩耗して充分な強圧保持力が得られなくなった時には、支持穴２４から挟持軸３を取り出して、これの上下を位置変更して支持穴２４に挿嵌し直し、挟持部３２の摩耗の生じていない反対側他端部分を当接位置側に変更して再使用することができる。そして、両端部分が摩耗した場合には摩耗した挟持部３２に代えて別の新らたな挟持軸３に交換して使用することができる。これにより従来のようにピアスパンチ２全体を交換するといったことなく、ピアスパンチ本体２０はそのまま長期間にわたって使用し続けることができる。その結果、全体としてピアスパンチ２の高寿命化を図り、経済性に優れたピアスパンチを得ることができる。
【００２８】  また、平面視一端扁平の円形状を呈する支持穴２４の一側内壁面に形成した回り止め用の扁平内壁面２６と、平面視一端扁平の円形状を呈する挟持軸３の一側外壁面に形成した扁平外壁面３１とが嵌入係合する構成としたことにより、回り止めが確実強固に行われ、長期間使用してもガタ付いたりするのを防止できる。しかも、挟持軸３の扁平外壁面３１とは反対側の円弧状外壁面の長さ方向中間部に挟持部３２と挟持部３２の基部両側にのみ逃し溝３３，３３を設けるので、中実の挟持軸３の断面積を大きく減少することなく充分に確保することができる。従って、使用時に作用する荷重により挟持軸３自体が亀裂や破断するなどといった現象を防止することができる。
【００２９】  上記した実施の形態では、平面視一端扁平の円形状を呈する支持穴２４と、平面視一端扁平の円形状を呈する挟持軸３とを用いて、挟持軸３を支持穴２４に回転不能で挿抜可能に嵌入支持する構造ものについて説明したけれども、この他、両者の平面視形状を例えば四角や６角などの多角形状として挟持軸を支持穴に回転不能で挿抜可能に嵌入支持する構造としてもよい。
【００３０】  その場合、例えば図１２〜１４に示すように、ピアスパンチ本体２の支持穴２４Ａの平面視形状を回り止め用の四角内壁面２６Ａからなる四角形状に形成する一方、挟持軸３Ａの平面視形状を上記支持穴２４Ａの平面視形状に符合する回り止め用の四角外壁面３１Ａからなる四角形状に形成し、かつこの挟持軸３Ａの長さ方向中間部に、抜き孔２１の開口部２５を介し抜き孔２１の内径より若干内方に突出する平面視四角形状の挟持部３２Ａとこの挟持部３２Ａの基部両側に形成され打抜カスとの干渉をなくす断面視四角形状の逃し溝３３Ａとを形成した構成としてもよい。なお、支持穴２４Ａと挟持軸３Ａ以外の構成は、上述した実施例の構成のものと基本的に同様であるので、その詳細な構成及び作用については省略する。
【００３１】  このように構成した場合にも、上述した実施例と同様の効果が得られながら、平面視形状が四角形状を呈する支持穴２４Ａの四角内壁面２６Ａと、平面視形状が四角形状を呈する挟持軸３Ａの四角外壁面３１Ａとが嵌入係合する構成となっているので、挟持軸３Ａの回り止めがより確実強固に行われ、長期間使用してもガタ付いたりすることがないし、また、平面視四角形状の中実挟持軸３Ａを用いているのでその断面積を充分確保することが可能になり、使用時において挟持軸３Ａ自体の亀裂や破断などの発生を確実に防止できる。しかも、挟持軸３Ａの長さ方向中間部に、平面視四角形状の挟持部３２Ａが設けられているから、挟持部３１Ａの一端部分が局所的に偏摩耗して充分な強圧保持力が得られなくなった時には、挟持軸３Ａの上下取付位置変更のみならず、平面視形状が四角形状の挟持軸３Ａを支持穴２４Ａに対し９０度ごとに回転させてその取付位置を変更することができる。これにより、摩耗の生じていない挟持部３２Ａを新たな当接挟持部３２Ａとして複数回変更使用することが可能になり、ピアスパンチ２をより一層長期間にわたって使用し続けることができる。
【００３２】  上記した実施の形態では、２本の挟持軸３，３を用いたものについて説明したが、例えば単数であっても構わないし、３本など複数本であってもよい。
【符号の説明】
【００３３】１              ピアシング工具
２              ピアスパンチ
３              挟持軸
４              ロックねじ
２０            ピアスパンチ本体
２１            抜き孔
２３            大径中空孔
２４            支持穴
２５            開口部
２６            回り止め用の扁平内壁面
２７            ねじ孔
３１            回り止め用の扁平外壁面
３２            挟持部
３３            逃し溝
３Ａ            平面視四角形状の挟持軸
２４Ａ          平面視四角形状の支持穴
２６Ａ          回り止め用の四角内壁面
３１Ａ          回り止め用の四角外壁面
３２Ａ          平面視四角形状の挟持部
３３Ａ          断面視四角形状の逃し溝
【図１】
2020082188.tif 000003
【図２】
2020082188.tif 000004
【図３】
2020082188.tif 000005
【図４】
2020082188.tif 000006
【図５】
2020082188.tif 000007
【図６】
2020082188.tif 000008
【図７】
2020082188.tif 000009
【図８】
2020082188.tif 000010
【図９】
2020082188.tif 000011
【図１０】
2020082188.tif 000012
【図１１】
2020082188.tif 000013
【図１２】
2020082188.tif 000014
【図１３】
2020082188.tif 000015
【図１４】
2020082188.tif 000016